(57)【要約】  本発明の一態様による採光ブラインドは、複数のスラットと、複数のスラットの長手方向を水平方向に向けて複数のスラットを連結するとともに複数のスラットを鉛直方向に吊り下げる形態で支持する支持機構と、を備え、鉛直方向上位の複数の採光スラットからなる採光スラット群と、鉛直方向下位の複数の遮光スラットからなる遮光スラット群との境界において、採光スラットと遮光スラットとが連続して配置され、支持機構は、採光スラット群を個別に収納あるいは展開させる昇降部材を有している。
2017131012.tif 000002
【特許請求の範囲】
【請求項１】
複数のスラットと、複数のスラットの長手方向を水平方向に向けて前記複数のスラットを連結するとともに前記複数のスラットを鉛直方向に吊り下げる形態で支持する支持機構と、を備え、
鉛直方向上位の複数の採光スラットからなる採光スラット群と、鉛直方向下位の複数の遮光スラットからなる遮光スラット群との境界において、前記採光スラットと前記遮光スラットとが連続して配置され、
前記支持機構は、前記採光スラット群を個別に収納あるいは展開させる昇降部材を有している、採光ブラインド。
【請求項２】
前記支持機構は、前記採光スラット群を収納した後に前記遮光スラット群を収納する機構である、請求項１に記載の採光ブラインド。
【請求項３】
前記支持機構は、前記複数のスラットを収納する収納ボックスと、前記複数の採光スラット及び前記複数の遮光スラットに共通して設けられた１系統の前記昇降部材と、前記収納ボックスに連結され且つ前記昇降部材を支持する滑車と、を備える、請求項１または２に記載の採光ブラインド。
【請求項４】
前記支持機構は、前記採光スラット群及び前記遮光スラット群にそれぞれ設けられた２系統の昇降部材を備え、各昇降部材により、前記採光スラット群と前記遮光スラット群とを独立して収納させる、請求項１に記載の採光ブラインド。
【請求項５】
前記２系統の昇降部材をそれぞれ支持する２つの回転軸をさらに備えている、請求項４に記載の採光ブラインド。
【請求項６】
前記遮光スラット群の鉛直方向下方に、複数の拡散スラットからなる拡散スラット群をさらに有している、請求項１に記載の採光ブラインド。
【請求項７】
前記支持機構は、前記採光スラット群、前記遮光スラット群及び前記拡散スラットにそれぞれ設けられた３系統の昇降部材を備え、各昇降部材により、前記採光スラット群、前記遮光スラット群及び前記拡散スラット群をそれぞれ独立して収納させる、請求項６に記載の採光ブラインド。
【請求項８】
前記３つの昇降部材をそれぞれ支持する３つの回転軸をさらに備えている、請求項６または７に記載の採光ブラインド。
【請求項９】
前記複数の遮光スラットからなる遮光スラット群の鉛直方向長さが、窓の鉛直方向長さよりも長い、請求項１に記載の採光ブラインド。
【請求項１０】
光透過性を有する第１基板と、
前記第１基板に対向配置された光透過性を有する第２基板と、
前記第１基板と前記第２基板との間に配置された採光ブラインドと、を備え、
前記採光ブラインドとして、請求項１に記載の採光ブラインドを採用する、採光装置。
【請求項１１】
採光装置と、
室内照明具と、
室内の明るさを検出する検出部と、
前記室内照明具と前記検出部とを制御する制御部と、を有して構成され、
前記採光装置として、請求項１に記載の採光ブラインドあるいは請求項１０に記載の採光装置を採用する照明システム。
【発明の詳細な説明】
【技術分野】
【０００１】
本発明のいくつかの態様は、採光ブラインド、採光装置、照明システムに関するものである。
本願は、２０１６年１月２９日に、日本に出願された特願２０１６−０１６６３７号に基づき優先権を主張し、その内容をここに援用する。
【背景技術】
【０００２】
従来、昼光の利用を目的として窓などの開口部に設けられた採光装置は、採光機能と遮光機能とを適宜切り替えることが難しく、会議などで遮光が必要であるときには、別途、カーテンやブラインドなどを用いる必要があった。【０００３】
特許文献１には、透明な複数の第１スラットからなる領域と、不透明な複数の第２スラットからなる領域とを有するブラインドが記載されている。第１スラットは、当該スラトを可視光が透過することを可能にする透明な部分を含み、透明な部分を透過する光の進行方向を曲げるものである。
【先行技術文献】
【特許文献】
【０００４】
【特許文献１】特開２０１４−２２４４３４号公報
【発明の概要】
【発明が解決しようとする課題】
【０００５】
しかしながら従来の構成では、光透過性のスラットを使用しているため、窓全体から入射する光を完全に遮光することが難しい。つまり、透明なスラットと不透明なスラットの両方を併用することになるため、遮光機能だけを利用することができない。【０００６】
本発明の一つの態様は、上記従来技術の問題点に鑑み成されたものであって、採光機能と遮光機能とをそれぞれ独立して機能させることのできる、採光ブラインド、採光装置、照明システムを提供することを目的とする。
【課題を解決するための手段】
【０００７】
本発明の一形態である採光ブラインドは、複数のスラットと、複数のスラットの長手方向を水平方向に向けて前記複数のスラットを連結するとともに前記複数のスラットを鉛直方向に吊り下げる形態で支持する支持機構と、を備え、鉛直方向上位の複数の採光スラットからなる採光スラット群と、鉛直方向下位の複数の遮光スラットからなる遮光スラット群との境界において、前記採光スラットと前記遮光スラットとが連続して配置され、前記支持機構は、前記採光スラット群を個別に収納あるいは展開させる昇降部材を有している。【０００８】
本発明の一形態である採光ブラインドにおいて、前記支持機構は、前記採光スラット群を収納した後に前記遮光スラット群を収納する機構である構成としてもよい。【０００９】
本発明の一形態である採光ブラインドにおいて、前記支持機構は、前記複数のスラットを収納する収納ボックスと、前記複数の採光スラット及び前記複数の遮光スラットに共通して設けられた１系統の前記昇降部材と、前記収納ボックスに連結され且つ前記昇降部材を支持する滑車と、を備える構成としてもよい。【００１０】
本発明の一形態である採光ブラインドにおいて、前記支持機構は、前記採光スラット群及び前記遮光スラット群にそれぞれ設けられた２系統の昇降部材を備え、各昇降部材により、前記採光スラット群と前記遮光スラット群とを独立して収納させる構成としてもよい。【００１１】
本発明の一形態である採光ブラインドにおいて、前記２系統の昇降部材をそれぞれ支持する２つの回転軸をさらに備えている構成としてもよい。【００１２】
本発明の一形態である採光ブラインドにおいて、前記遮光スラット群の鉛直方向下方に、複数の拡散スラットからなる拡散スラット群をさらに有している構成としてもよい。【００１３】
本発明の一形態である採光ブラインドにおいて、前記支持機構は、前記採光スラット群、前記遮光スラット群及び前記拡散スラットにそれぞれ設けられた３系統の昇降部材を備え、各昇降部材により、前記採光スラット群、前記遮光スラット群及び前記拡散スラット群をそれぞれ独立して収納させる構成としてもよい。【００１４】
本発明の一形態である採光ブラインドにおいて、前記３つの昇降部材をそれぞれ支持する３つの回転軸をさらに備えている構成としてもよい。【００１５】
本発明の一形態である採光ブラインドにおいて、前記複数の遮光スラットからなる遮光スラット群の鉛直方向長さが、窓の鉛直方向長さよりも長い構成としてもよい。【００１６】
本発明の一形態である採光装置は、光透過性を有する第１基板と、前記第１基板に対向配置された光透過性を有する第２基板と、前記第１基板と前記第２基板との間に配置された採光ブラインドと、を備え、前記採光ブラインドとして、上記の採光ブラインドを採用する。【００１７】
本発明の一形態である照明システムは、採光装置と、室内照明具と、室内の明るさを検出する検出部と、前記室内照明具と前記検出部とを制御する制御部と、を有して構成され、前記採光装置として、上記の採光ブラインドあるいは上記の採光装置を採用する。
【発明の効果】
【００１８】
本発明のいくつかの態様によれば、採光機能と遮光機能とをそれぞれ独立して機能させることのできる、採光ブラインド、採光装置、照明システムを提供することができる。
【図面の簡単な説明】
【００１９】
【図１】第１実施形態のブラインドの外観を示す斜視図。
【図２】第１実施形態のブラインドを側方から見た図。
【図３Ａ】採光領域を構成する採光スラットの概略構成を示す正面図。
【図３Ｂ】採光領域を構成する採光スラットの概略構成を示す図であって、図３ＡのＡ−Ａ’線に沿う断面図。
【図４Ａ】採光シートの斜視図。
【図４Ｂ】採光部の断面図。
【図５】第１実施形態のブラインドにおける昇降コードを示す図である。
【図６Ａ】ブラインドの要部を拡大した斜視図であって、開状態を示す図。
【図６Ｂ】ブラインドの要部を拡大した斜視図であって、閉状態を示す図。
【図７】ブラインド１が設置された部屋モデルの一例を示す模式図。
【図８】ブラインドの採光機能及び遮光機能を説明するための斜視図。
【図９】採光スラットによる採光機能を説明するための図。
【図１０Ａ】採光ブラインドの使用状態を示す第１の図。
【図１０Ｂ】採光ブラインドの使用状態を示す第２の図。
【図１０Ｃ】採光ブラインドの使用状態を示す第３の図。
【図１１】第１実施形態の採光ブラインドによる採光状態を示す図。
【図１２】第１実施形態の採光スラットによる遮光状態を示す図。
【図１３】採光スラット群の収納時における遊星歯車機構の動作を示す図。
【図１４】採光スラット群の収納時における遊星歯車機構の動作を示す図。
【図１５】第２実施形態の採光ブラインドの外観を示す斜視図。
【図１６】第２実施形態の昇降操作部（巻き上げ機構）の概略構成を示す図。
【図１７Ａ】第２実施形態のブラインドの採光スラット群のみを収納した状態を示す図。
【図１７Ｂ】第２実施形態のブラインドの遮光スラット群のみを収納した状態を示す図。
【図１８】第２実施形態のブラインドにおける遮光状態を示す図。
【図１９】第２実施形態のブラインドにおける採光状態を示す図。
【図２０】第２実施形態におけるブラインドの採光状態を示す図。
【図２１】第２実施形態におけるブラインドの採光スラットが水平とされた状態を示す図。
【図２２】第２実施形態におけるブラインドの遮光スラットが水平とされた状態を示す図。
【図２３】第２実施形態におけるブラインドの遮光スラット群が収納された状態を示す図。
【図２４】第３実施形態の採光ブラインドの外観を示す斜視図。
【図２５Ａ】第３実施形態のブラインドの拡散スラット群のみを収納した状態を示す図。
【図２５Ｂ】第３実施形態のブラインドの採光スラット群および拡散スラット群を収納した状態を示す図。
【図２５Ｃ】第３実施形態のブラインドの遮光スラット群及び拡散スラット群を収納した状態を示す図である。
【図２６】第３実施形態のブラインドによる各機能を示す図。
【図２７】第４実施形態のブラインドおよび窓における長さの関係を示す断面図。
【図２８】遮光スラット群の鉛直方向における長さが窓ガラスの鉛直方向における長さよりも短い寸法とされたブラインドの使用状態を示す図。
【図２９】第４実施形態におけるブラインドの使用状態を示す図。
【図３０】本発明の一態様に係る採光装置を模式的に示す図。
【図３１】本発明の一態様に係る採光装置の使用状態を示す図。
【図３２Ａ】窓ガラスの室内側にブラインドを配置させた場合を示す断面図。
【図３２Ｂ】窓ガラスの室内側にブラインドを配置させた場合の外観を示す図。
【図３３Ａ】本発明の一態様に係る採光装置を示す断面図。
【図３３Ｂ】本発明の一態様に係る採光装置の外観を示す図。
【図３４】採光装置および照明調光システムを備えた部屋モデルであって、図３５のＢ−Ｂ’線に沿う断面図。
【図３５】部屋モデルの天井を示す平面図。
【図３６】新エネルギー・産業技術総合開発機構（ＮＥＤＯ）の「日射量データベース」に格納されたデータ。
【発明を実施するための形態】
【００２０】
以下に、本発明のいくつかの態様に係る採光ブラインド、採光装置、照明システムについて詳しく述べる。
なお、以下の各図面においては、各構成要素を見やすくするため、構成要素によって寸法の縮尺を異ならせて示すことがある。
また、以下の説明において、採光装置の位置関係（上下、左右、前後）については、採光装置の使用時における位置関係（上下、左右、前後）に基づくものとし、特に説明がない限りは、図面においても、採光装置の位置関係は、紙面に対する位置関係と一致するものとする。
【００２１】
［第１実施形態］
以下、本発明の第１実施形態の採光ブラインドについて説明する。
図１は、第１実施形態のブラインドの外観を示す斜視図である。図１におけるブラインドの上下方向をＺ方向、左右方向をＸ方向、前後方向をＹ方向とする。図２は、第１実施形態のブラインドを側方から見た図である。
【００２２】
本実施形態におけるブラインド（採光装置）１は、図１に示すように、互いに間隔を空けて水平方向（Ｘ方向）に平行に並ぶ複数のスラット２と、複数のスラット２を鉛直方向（Ｚ方向）に吊り下げ自在に支持する支持機構３と、を主として構成されている。ブラインド１では、複数のスラット２を昇降自在に支持すると共に、複数のスラット２を傾動自在に支持している。
【００２３】
複数のスラット２は、図１及び図２に示すように、鉛直方向上位の採光性を有する複数の採光スラット４による採光スラット群５と、採光スラット群５の下方に位置して、鉛直方向下位の遮光性を有する複数の遮光スラット６による遮光スラット群７とを有している。以下の説明において、採光スラット４と遮光スラット６とを特に区別しない場合は、単にスラット２としてまとめて扱うものとする。
【００２４】
本実施形態では、採光スラット群５と遮光スラット群７との境界において、採光スラット４と遮光スラット６とが連続して配置されている。
【００２５】
図３Ａ及び図３Ｂは、採光領域を構成する採光スラットの概略構成を示す図であって、図３Ａは正面図、図３Ｂは図３ＡのＡ−Ａ’線に沿う断面図である。
【００２６】
採光スラット群５を構成する各採光スラット４は、図３Ａ、図３Ｂに示すように、一方向に延在するスラット本体８と、スラット本体８の一面に設けられた採光シート（採光部材）１０と、を備える。採光スラット４の長手方向における長さＬは凡そ１０００ｍｍ、短手方向における長さ（スラット幅）Ｗ１は凡そ２５ｍｍであって、厚みＴは１ｍｍである。
【００２７】
スラット本体８は、光透過性を有する長尺板状の透明基材からなる。
採光シート１０は、図３Ａに示すように、長手方向（Ｘ方向）に垂直な断面（Ａ−Ａ’）において矩形状を呈する基材４１と、基材４１の第１面４１ａに設けられた光透過性を有する複数の採光部４２と、複数の採光部４２の間に設けられた空隙部４３と、を備える。
【００２８】
基材４１は、熱可塑性ポリマーや熱硬化性樹脂、光重合性樹脂等の光透過性樹脂からなる。また、光透過性樹脂としては、アクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなるものを用いることができる。その中でも、例えば、ポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材４１の全光線透過率は、ＪＩＳ  Ｋ７３６１−１の規定で９０％以上が好ましい。これにより、十分な透明性を得ることができる。
【００２９】
採光部４２は、例えば、アクリル樹脂やエポキシ樹脂、シリコーン樹脂等の光透過性及び感光性を有する有機材料で構成されている。また、これらの有機材料に、重合開始剤やカップリング剤、モノマー、有機溶媒等を混合したものを用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。採光部４２の全光線透過率は、ＪＩＳ  Ｋ７３６１−１の規定で９０％以上が好ましい。これにより、十分な透明性を得ることができる。
【００３０】
採光スラット４を構成する各採光部４２は、基材４１の長手方向（Ｘ方向）に延在し、且つ、基材４１の短手方向（Ｙ方向）に並んで設けられている。採光部４２は、断面六角形状のプリズム体を構成している。なお、採光部４２の形状は、断面六角形状に限られず、断面五角形状あるいは断面三角形状、マルチテーパー形状であってもよく、特に限定されない。これにより、図４Ａに示すように、窓ガラスを透過した太陽光が、採光部４２に入射すると、採光部４２内で反射して、斜め上方側に向かって出射する。
【００３１】
ここで、複数の採光部４２の各間には、空気（空隙部４３）が存在しているが、この間に他の低屈折率材料が充填されていてもよい。しかしながら、採光部４２と空隙部４３との界面の屈折率差は、外部にいかなる低屈折率材料が存在する場合よりも空気が存在する場合に最大となる。したがって、空気が存在する場合は、図４Ｂに示すように、スネル（Ｓｎｅｌｌ）の法則より、採光部４２に入射した光のうち反射面４ｂ又は反射面４ｃで全反射する光の臨界角が最も小さくなる。これにより、反射面４ｂ又は反射面４ｃで全反射される光の入射角の範囲が最も広くなることから、採光部４２に入射した光を基材４１の第２面４１ｂ（図４Ａ）側へと効率良く導くことができる。結果として、採光部４２に入射した光の損失が抑えられ、基材４１の他面から出射される光の輝度を高めることができる。
【００３２】
基材４１の屈折率と採光部４２の屈折率とは略同等であることが望ましい。例えば、基材４１の屈折率と採光部４２の屈折率とが大きく異なる場合、光が採光部４２から基材４１に入射したときに、これら採光部４２と基材４１との界面で不要な光の屈折や反射が生じることがある。この場合、所望の採光特性が得られない、輝度が低下するなどの不具合が生じる虞があるからである。
【００３３】
図１に戻り、遮光スラット群７を構成する遮光スラット６は、遮光性を有する長尺板状の遮光用基材１１からなる。遮光用基材１１は、いわゆるブラインド用のスラットとして一般的に使用されているものであればよく、例えば、アルミニウム等の金属製や木製、樹脂製のものを挙げることができる。また、遮光用基材１１の表面に塗装等を施したものを挙げることができる。
【００３４】
遮光スラット群７を構成する遮光スラット６は、すべてが遮光性の高いものからなる必要はない。例えば、遮光スラット群７を構成する遮光スラット６の一部は、光拡散性のスラットや着色された光透過性を有する着色スラットにより構成されていてもよい。このように遮光スラット６の全部または一部を光拡散性のスラットや着色スラットとすることにより、完全に外光を遮光するスラットよりも室内の明るさを向上させることができる。
【００３５】
また、室内に居る人の視線やパソコンモニターに過度なグレア光が入ることもなく、快適な室内環境が得られる。さらに、屋外から室内を覗き見される心配もなく、室内に居る人のプライバシーも確保される。
【００３６】
支持機構３は、採光スラット群５に対して設けられた一対の採光スラット用ラダーコード１２ａと、遮光スラット群７に対して設けられた一対の遮光スラット用ラダーコード１２ｂと、複数のラダーコード１２ａ、１２ｂの各上端部を支持する固定ボックス（収納ボックス）１３と、遮光スラット用ラダーコード１２ｂの下端部に取り付けられる昇降バー１４と、を備えている。
以下の説明において、採光スラット用ラダーコード１２ａと遮光スラット用ラダーコード１２ｂとを特に区別しない場合は、単にラダーコード１２としてまとめて扱うものとする。
【００３７】
図６Ａ，図６Ｂは、ブラインド１の要部を拡大した斜視図であり、図６Ａは、各スラット２の間を開いた状態を示し、図６Ｂは、各スラット２の間を閉じた状態を示す。
【００３８】
各ラダーコード１２ａ、１２ｂは、図１に示したように、複数のスラット２の中央部を挟んだ左右の両側にそれぞれ一対ずつ並んで配置されている。ラダーコード１２は、図６Ａ，図６Ｂに示すように、互いに平行に並ぶ前後一対の縦コード１５ａ，１５ｂと、縦コード１５ａ，１５ｂの間に掛け渡された上下一対の横コード１６ａ，１６ｂと、を有し、且つ、横コード１６ａ，１６ｂが縦コード１５ａ，１５ｂの長手方向（鉛直方向）に等間隔に並んで配置された構成を有している。各スラット２は、縦コード１５ａ，１５ｂと横コード１６ａ，１６ｂとの各間に挿入された状態で配置されている。
【００３９】
図１に示すように、固定ボックス１３は、互いに平行に並ぶ複数のスラット２の最上部に位置して、これら複数のスラット２と平行に並んで配置されている。一方、昇降バー１４は、互いに平行に並ぶ複数のスラット２の最下部に位置して、これら複数のスラット２と平行に並んで配置されている。図１、図６Ａ、図６Ｂに示すように、各ラダーコード１２ａ、１２ｂを構成する縦コード１５ａ，１５ｂは、昇降バー１４の自重により鉛直下向きに引っ張られた状態で、固定ボックス１３より垂下されている。
【００４０】
支持機構３は、複数のスラット２を昇降操作するための昇降操作部１７と、複数のスラット２を傾動操作するための傾動操作部１８と、を備えている。
【００４１】
昇降操作部１７は、図１及び図５に示すように、２本の昇降コード（昇降部材）１９と、操作コード２２と、組み合わせ滑車９と、を有している。
【００４２】
２本の昇降コード１９は、図１に示すように、複数のスラット２の中央部を挟んだ左右の両側に一対並んで配置されている。各昇降コード１９は、ラダーコード１２を構成する縦コード１５ａ，１５ｂ（図６Ａ，図６Ｂ）と平行に並んで配置されている。図１に示すように、各昇降コード１９の一端部１９ｃが昇降バー１４にそれぞれ取り付けられている。
【００４３】
２本の昇降コード１９は、図１に示すように、それぞれの他端部１９ｄ側が固定ボックス１３の内部で引き回されて、固定ボックス１３の一方側に設けられた窓部２１から引き出されている。窓部２１から引き出された一対の昇降コード１９の各他端部１９ｄは、操作コード２２の一端と連結されている。操作コード２２の他端は、昇降バー１４の一端部に取り付けられている。
【００４４】
各昇降コード１９は、複数の採光スラット４からなる採光スラット群５と、複数の遮光スラット６からなる遮光スラット群７とに共通して設けられ、採光スラット群５と遮光スラット群６とをこの順に収納することを可能にしている。具体的に、昇降コード１９には、図５に示すように、複数の採光スラット４を昇降させる第１部分１９ａと、複数の遮光スラット６を昇降させる第２部分１９ｂと、が存在する。
【００４５】
組合せ滑車９は、互いの軸方向を平行にして固定ボックス１３内に配置された第１滑車９Ａ及び第２滑車９Ｂを有している。第１滑車９Ａ及び第２滑車９Ｂには、上述した昇降コード１９が巻き回されている。各昇降コード１９は、採光スラット群５及び遮光スラット群７に共通して設けられ、各滑車９Ａ，９Ｂに亘ってそれぞれ掛け回されている。
【００４６】
具体的に１本の昇降コード１９は、昇降バー１４に連結された一端部１９ｃからブラインド１の一面側を通って、第２滑車９Ｂの周囲に掛け回されている。さらに、採光スラット群５と遮光スラット群７との境界を通って採光スラット群５の周囲を囲うように引き回され、第１滑車９Ａの周囲にも掛け回されている。昇降コード１９の他端部１９ｄは、上述したように操作コード２２（図１）に連結されている。
【００４７】
本実施形態の一対の昇降コード１９は、いずれもスラット２の外側に配置されている。
従来の構成では、スラット２に形成された孔部を貫通した状態で昇降コード１９が設けられた構成となっていたが、本実施形態では、スラット２に昇降コード１９を通すための孔部は形成されていない。このため、遮光時に孔部からの光漏れが生じなくなり、ブラインド１の遮光性能を高めることができる。
【００４８】
昇降操作部１７では、昇降バー１４が最下部に位置する状態から、操作コード２２を引っ張ることによって各滑車９Ａ，９Ｂが回転し、先ず昇降コード１９の第１部分１９ａが固定ボックス１３の内側へと引き込まれて採光スラット群５が収納される。採光スラット群５が収納された後、今度は昇降コード１９の第２部分１９ｂが各滑車９Ａ，９Ｂの周りを周動しながら固定ボックス１３の内側へと引き込まれ、遮光スラット群７が収納される。このように、本実施形態においては、採光スラット群５の収納後に遮光スラット群７が収納される構成となっている。
【００４９】
各昇降コード１９は、窓部２１の内側に設けられたストッパー（図示せず）によって共に固定される。採光スラット群５の収納時には、最下位の採光スラット４を任意の高さ位置で固定することができるとともに、遮光スラット群７の収納時には、昇降バー１４を任意の高さ位置で固定することができる。
【００５０】
本実施形態のブラインド１では、採光スラット群５を先に収納し、その後遮光スラット群７を収納する構成となっている。これら各スラット群５，７が収納された状態から展開させる際は、ストッパーによる昇降コード１９の固定を解除することによって可能となる。これにより、先ず、昇降バー１４を展開時の最下部に位置させて遮光スラット群７を展開させ、その後、採光スラット群５を展開させることができる。
【００５１】
傾動操作部１８は、図１に示すように、固定ボックス１３の一方側に操作レバー２３を有している。操作レバー２３は、軸回りに回動自在に取り付けられている。傾動操作部１８では、操作レバー２３を軸回りに回動させることによって、図６Ａに示すラダーコード１２を構成する縦コード１５ａ，１５ｂを互いに逆向きに上下方向に移動操作することができる。これにより、図６Ａに示す各スラット２の間を開いた状態と、図６Ｂに示す各スラット２の間を閉じた状態との間で、複数のスラット２を互いに同期させながら傾動させることができる。
【００５２】
以上のような構成を有するブラインド１は、窓ガラス等の上部から吊り下げられた状態で、この窓ガラスの内面に複数のスラット２を対向させた状態で配置される。また、採光スラット群５は、各採光スラット４の採光部４２（図３Ａ及び図３Ｂ）側を窓ガラスに対向させた状態で配置される。
【００５３】
ここで、図７に示す部屋モデル１０００を用いてブラインド１の採光機能及び遮光機能について説明する。なお、図７は、ブラインド１が設置された部屋モデル１０００の一例を示す模式図である。図８は、ブラインドの採光機能及び遮光機能を説明するための斜視図である。図９は、採光スラットによる採光機能を説明するための図である。
【００５４】
部屋モデル１０００は、例えばブラインド１のオフィスでの使用を想定したモデルである。具体的に、図７に示す部屋モデル１０００は、天井１００１と、床１００２と、窓ガラス１００３が取り付けられた手前の側壁１００４と、手前の側壁１００４と対向する奥の側壁１００５とで囲まれる室内１００６に、窓ガラス１００３を通して屋外の光ＬＢが斜め上方から入射する場合を模している。ブラインド１は、窓ガラス１００３の内面に対向した状態で配置されている。
【００５５】
部屋モデル１０００では、室内１００６の高さ寸法（天井１００１から床１００２までの寸法）Ｈ１を２．７ｍとし、窓ガラス１００３の縦寸法Ｈ２を天井１００１から１．８ｍとし、採光スラット群５の縦寸法Ｈ３を天井１００１から０．６ｍとし、室内１００６の奥行き寸法（手前の側壁１００４から奥の側壁１００５までの寸法）Ｎを１６ｍとしている。
【００５６】
部屋モデル１０００では、室内１００６の中の方に椅子に座っている人Ｍａと、室内１００６の奥の方に床１００２に立っている人Ｍｂとがいる。椅子に座っている人Ｍａの眼の高さＨａは、床１００２から０．８ｍとし、床１００２に立っている人Ｍｂの眼の高さＨｂは、床１００２から１．８ｍとしている。
【００５７】
室内１００６に居る人Ｍａ，Ｍｂに眩しさを感じさせる領域（以下、グレア領域という。）Ｇは、室内に居る人Ｍａ，Ｍｂの眼の高さＨａ，Ｈｂの範囲である。また、室内１００６の窓ガラス１００３の付近は、主として窓ガラス１００３を通して屋外の光ＬＢが直接照射される領域Ｆである。この領域Ｆは、手前の側壁１００４から１ｍの範囲としている。したがって、グレア領域Ｇは、床１００２から０．８ｍ〜１．８ｍの高さ範囲のうち、領域Ｆを除いた手前の側壁１００４より１ｍ離れた位置から奥の側壁１００５までの範囲となっている。
【００５８】
採光スラット群５では、図８及び図９に示すように、各採光スラット４の一面に対して斜め上方から内部に入射した光ＬＢを、各採光スラット４の他面から外部へと斜め上方に向けて出射する。具体的に、各採光スラット４では、図９に示すように、採光スラット４に入射した光が採光部４２内で反射した後、天井１００１（図７）に向かう光ＬＢとして、基材４１の第２面４１ｂから出射される。
【００５９】
なお、本実施形態においては、昇降操作部１７の構成要素として組み合わせ滑車９を用いたが、組み合わせ滑車９に替えてギア機構を用いてもよい。また、電動制御による収納機能を備えた構成としてもよい。
【００６０】
次に、第１実施形態における採光ブラインドの使用時における各操作について詳しく述べる。図１０Ａ〜図１０Ｃは、採光ブラインドの使用状態を示す図である。
【００６１】
ブラインド１の全体が展開された図１０Ａに示す状態から、採光スラット群５のみを収納する場合には、操作コード２２を所定の長さ分だけ引っ張る。これにより、先ず、昇降コード１９の第１部分１９ａが上述した各滑車９Ａ，９Ｂの周りを周動しながら固定ボックス１３の内側へと引き込まれる。同時に、複数の採光スラット４が下部側から順に最下位の採光スラット４の上に重なり合いながら、最下位の採光スラット４と共に上昇する。このようにして、図１０Ｂに示すように遮光スラット群７を展開した状態で残したまま、採光スラット群５だけを収納することができる。なお、採光スラット群５の折り畳みに伴って遮光スラット群７及び昇降バー１４の位置が上昇する。各昇降コード１９は、窓部２１の内側に設けられたストッパー（図示せず）によって共に固定される。
【００６２】
続けて、遮光スラット群７を収納する場合には、採光スラット群５が収納された状態において操作コード２２をさらに引っ張る。これにより、昇降コード１９の第２部分１９ｂが上述した各滑車９Ａ，９Ｂの周りを周動しながら固定ボックス１３へと引き込まれる。
この際、複数の遮光スラット６が下部側から順に昇降バー１４の上に重なり合いながら、昇降バー１４と共に上昇する。このようにして、遮光スラット群７を収納することができる。
【００６３】
次に、第１実施形態の採光ブラインドによる採光機能及び遮光機能について述べる。
図１１は、第１実施形態の採光ブラインドによる採光状態を示す図である。
図１２は、第１実施形態の採光スラットによる遮光状態を示す図である。
【００６４】
一般的な採光装置は採光機能だけを備えており、室内を暗い環境にするためには、遮光機能を有する遮光装置を別途設置する必要があった。
本実施形態のブラインド１は、図１１に示すように、全体を展開した状態において、窓を通過してブラインド１に入射した入射光（太陽光）のうち一部を採光して一部を遮光する。ブラインド１への入射光のうち採光スラット群５を透過した光は、凡そ天井方向に向きを変えて射出される。室内に照射された光が天井１００１で散乱することにより、人工照明を使わずに室内を明るい環境とすることができる。ブラインド１への入射光のうち遮光スラット群７に入射した光は、各遮光スラット６において反射あるいは吸収されて遮光される。
【００６５】
図１２に示すように、室内を暗くするために、採光スラット群５を収納して遮光スラット群７だけを展開させた状態においては、窓ガラス１００３を透過した光は遮光スラット群７において略全て反射あるいは吸収されて遮光される。
【００６６】
以上述べたように、可視透過性の採光機能を有する採光スラット群５と、光反射及び光吸収による遮光機能を有する遮光スラット群７と、を備えたベネシアン式のブラインドにおいて、本実施形態のブラインド１では、採光スラット群５と遮光スラット群７とを順次収納することが可能である。具体的には、先ず上位の採光スラット群５が収納され、その後に下位の遮光スラット群７が収納される構成となっている。このように、本実施形態のブラインド１は、採光スラット群５から収納できる構成となっているため、遮光スラット群７だけを展開させて使用することが可能となり、遮光機能だけを選択することができる。
【００６７】
また、従来において、採光スラット群５と遮光スラット群７とを備えたブラインド構成が既に提案されているものの、鉛直方向上位の採光スラット群５側を先に収納できる構成にはなっておらず、鉛直方向下位の遮光スラット群７から収納されてしまう。そのため、採光機能および遮光機能を両方備えたブラインドであっても、カーテンやブラインドなどの遮光装置が別途必要となっていた。
【００６８】
これに対しては、本実施形態のブラインド１は採光スラット群５のみを個別に収納あるいは展開することが可能なため、上述したような構成のブラインド１を一つ設置するだけで、採光機能と遮光機能とを適宜切り替えて用いることができる。そのため、従来のように遮光装置を別途設置することなく、室内における採光環境と暗環境とを使用者が任意に切り替えることが可能になる。
【００６９】
なお、本実施形態では、ブラインド１の昇降操作部１７として、組み合わせ滑車９を備えた構成について述べたが、これに限定されない。例えば、滑車機構に代えてギア機構を用いてもよい。
【００７０】
ギア構造の一例を図１３及び図１４に示す。
図１３及び図１４は、遊星ギアおよび太陽ギアを有する遊星歯車機構の概略構成を示す模式図であって、図１３は、採光スラット群の収納時における遊星歯車機構の動作を示す図、図１４は、採光スラット群の収納時における遊星歯車機構の動作を示す図である。
【００７１】
図１３及び図１４に示す遊星歯車機構６０は、太陽ギア６１と、太陽ギア６１の周囲に配置され太陽ギア６１と噛合する複数の遊星ギア６２と、複数の遊星ギア６２に噛合し太陽ギア６１と同軸上に設けられたリングギア６３と、を有し、上述した固定ボックス１３内に収容される。太陽ギア６１の回転軸には採光スラット用昇降コード（不図示）が連結されている。リングギア６３の回転軸には遮光スラット用昇降コード（不図示）が連結されている。
【００７２】
ユーザーによって採光スラット用昇降コードが引っ張られることで太陽ギア６１が回転する。太陽ギア６１の回転始めの段階では、複数の遊星ギア６２が自転しながら公転し、採光スラット群５が巻き上げられる。採光スラット群５の巻き上げが終わると、各遊星ギア６２がロックされて自転のみとなる。遊星ギア６２の自転により最外に設けられたリングギア６３が自転する（図１４）。リングギア６３の回転によって遮光スラット群７が巻き上げられることになる。
【００７３】
［第２実施形態］
次に、本発明の第２実施形態の採光ブラインドについて説明する。
以下に示す本実施形態の採光ブラインドの基本構成は、上記第１実施形態と略同様であるが、昇降操作部（２制御式）の構成において異なる。よって、以下の説明では、先の実施形態と異なる構成について詳しく説明し、共通な箇所の説明は省略する。また、説明に用いる各図面において、図１〜図１２と共通の構成要素には同一の符号を付すものとする。
【００７４】
図１５は、第２実施形態の採光ブラインドの外観を示す斜視図である。
図１６は、第２実施形態の昇降操作部（巻き上げ機構）の概略構成を示す図である。
本実施形態のブラインド２０は、採光スラット群５と遮光スラット群７とをそれぞれ独立的に収納制御することが可能な昇降操作部２７を備えて構成されている。
昇降操作部２７は、２系統の昇降コード（昇降部材）２４，２５、上述した２系統のラダーコード１２ａ、１２ｂおよび巻き上げ機構２６を有している。
【００７５】
２系統の昇降コード２４，２５のうち、一方が採光スラット用昇降コード２４であり、他方が遮光スラット用昇降コード２５である。昇降コード２４，２５は、採光スラット群５および遮光スラット群７に対してそれぞれ１本ずつ設けられる。
【００７６】
各ラダーコード１２ａ，１２ｂは、先の実施形態と同様に、各スラット群５，７に対してそれぞれ複数ずつ設けられる。
【００７７】
巻き上げ機構２６は、直径が異なる第１回転軸（回転軸）２６Ａと第２回転軸（回転軸）２６Ｂとを有し、小径の第１回転軸２６Ａの外側に大径をなす第２回転軸２６Ｂが同心円状に配置されている。内側に位置する第１回転軸２６Ａには、採光スラット用昇降コード２４が連結されているとともに、採光スラット用ラダーコード１２ａが連結されている。外側に位置する第２回転軸２６Ｂには、遮光スラット用昇降コード２５が連結されているとともに、遮光スラット用ラダーコード１２ｂが連結されている。
【００７８】
なお、各回転軸２６Ａ，２６Ｂと、昇降コード２４，２５及びラダーコード１２ａ，１２ｂとの接続の組み合わせは上述したものに限られず、適宜変更しても構わない。
【００７９】
図１７Ａは、第２実施形態のブラインドの採光スラット群のみを収納した状態を示す図であり、図１７Ｂは、遮光スラット群のみを収納した状態を示す図である。
本実施形態のブラインド２０では、ユーザーにより、採光スラット用昇降コード２４が引っ張られることによって上述した第１回転軸２６Ａが回転し、採光スラット群５が巻き上げられる（図１７Ｂ）。この採光スラット群５とは別に、遮光スラット用昇降コード２５が引っ張られることによって上述した第２回転軸２６Ｂが回転し、遮光スラット群７が巻き上げられる（図１７Ｂ）。このように、本実施形態では、巻き上げに用いる回転軸２６Ａ，２６Ｂをスラット群５，７ごとに設けたことにより、スラット群５，７をそれぞれ独立して制御することが可能である。
【００８０】
図１８は、第２実施形態のブラインドにおける遮光状態を示す図である。図１９は、第２実施形態のブラインドにおける採光状態を示す図である。
図１８及び図１９に示すように、採光スラット群５が独立で制御されることにより、採光状態、遮光状態だけでなく、スラット２の角度調整も含めた様々なパターンの昼光利用を選択することができる。
以下に、本実施形態におけるブラインドの利用状態について詳しく述べる。
【００８１】
図２０は、第２実施形態におけるブラインドの採光状態を示す図である。図２１は、第２実施形態におけるブラインドの採光スラットが水平とされた状態を示す図である。図２２は、第２実施形態におけるブラインドの遮光スラットが水平とされた状態を示す図である。図２３は、第２実施形態におけるブラインドの遮光スラット群が収納された状態を示す図である。
【００８２】
例えば、庇のある建物において明るい環境を確保する場合には、図２０に示すように、窓の緯度、方位又は太陽高度等に応じて採光スラット４の傾きを調整することによって、室内に明るい光を採り込むことが可能である。一方、遮光スラット６側を閉じることによって、室内に居る人にとって眩しさを感じさせてしまう光を遮光することができる。
【００８３】
また、図２１に示すように、太陽の高度が高いときに上部の各採光スラット４を水平にすることで、直射光を遮りながら、室内側からの眺望性を確保することができる。
【００８４】
また、日差しが弱い環境では、図２２に示すように各遮光スラット６を水平にして直射光を反射させることにより、天井１００１への採光性を高めることが可能である。
【００８５】
また、直射光の眩しさが気にならない環境では、図２３に示すように遮光スラット群７以外を収納した状態で昼光の採り込み量をさらに増やすといった使い方が可能になる。
【００８６】
なお、本実施形態では、各昇降コード２４，２５がそれぞれブラインド１の外側に引き出されており、ユーザーによって操作する構成となっているが、電動制御等、他の機構を採用しても構わない。また、各スラット群５，７が独立に制御されるだけでなく、採光スラット群５のみ独立制御できる構成としてもよい。
【００８７】
［第３実施形態］
次に、本発明の第３実施形態の採光ブラインドについて説明する。
以下に示す本実施形態の採光ブラインドの基本構成は、上記第１実施形態と略同様であるが、昇降操作部（３制御式）の構成において異なる。よって、以下の説明では、先の実施形態と異なる構成について詳しく説明し、共通な箇所の説明は省略する。また、説明に用いる各図面において、図１〜図１２と共通の構成要素には同一の符号を付すものとする。
【００８８】
図２４は、第３実施形態の採光ブラインドの外観を示す斜視図である。
本実施形態のブラインド３０は、採光スラット群５、遮光スラット群７および拡散スラット群３１と、各スラット群５，７，３１を独立的に収納制御することが可能な昇降操作部３２と、を備えている。拡散スラット群３１を構成する複数の拡散スラット３５は、可視光透過性の拡散機能を有する。例えば、入射した光を拡散させるための光拡散シート等が、スラットの一面側に貼り合わされていてもよい。また、拡散スラット３５は、水平方向に高拡散である光拡散方向に異方性を有していてもよい。
【００８９】
昇降操作部３２は、３系統の昇降コード２４，２５，３３と、３系統のラダーコード１２ａ，１２ｂ，１２ｃと、巻き上げ機構（不図示）と、を有している。
【００９０】
本実施形態のブラインド３０では、鉛直方向上位に採光スラット群５、中間に遮光スラット群７、下位に拡散スラット群３１が配置されている。拡散スラット群３１は、室内に居る人の目線よりも下側に位置しているとよい。拡散スラット群３１には、各拡散スラット３５の傾きを調整する複数のラダーコード３４と、各拡散スラット３５を収納する拡散スラット用昇降コード３３とが設けられている。
【００９１】
巻き上げ機構（不図示）は、直径が異なる３つの軸部を有しており、各軸部に上記３系統の昇降コード２４，２５，３３及びラダーコード１２ａ，１２ｂ，１２ｃが接続されている。３つの軸部は同心円状に設けられ、各コードの接続組み合わせは適宜設定される。
【００９２】
図２５Ａは、第３実施形態のブラインドの拡散スラット群のみを収納した状態を示す図であり、図２５Ｂは、採光スラット群および拡散スラット群を収納した状態を示す図であり、図２５Ｃは遮光スラット群及び拡散スラット群を収納した状態を示す図である。
【００９３】
本実施形態のブラインド３０では、ユーザーにより、拡散スラット用昇降コード３３が引っ張られることによって、拡散スラット用昇降コード３３に接続された軸部が回転して拡散スラット群３１が巻き上げられる（図２５Ａ）。日差しが強い環境では、採光スラット群５によって十分明るい環境を得ることができるため、拡散スラット群３１を収納しておいてもよい。
【００９４】
さらに、採光スラット群５が巻き上げられた状態を図２５Ｂに示す。遮光状態とすることで暗い環境を得ることができる。
【００９５】
また、直射光の眩しさが気にならない環境では、図２５Ｃに示すように、採光スラット群５のみを展開させて、他の遮光スラット群７および拡散スラット群３１を巻き上げた状態で使用することも可能である。
【００９６】
次に、第３実施形態のブラインドによる採光、遮光、拡散機能をそれぞれ示す。
図２６は、第３実施形態のブラインドによる各機能を示す図である。
図２６に示すように、本実施形態のブラインド３０では、採光機能を有する採光スラット群５から出射される光が天井で散乱されることで、室内の空間を照らして明るい環境にすることができる。これに対し、光拡散機能を有する拡散スラット群３１から出射される光は、直接室内の空間を照らすことができる。
【００９７】
一方で、太陽の位置によっては、拡散スラット群３１からの出射光が室内に居る人の目線に入射してしまい、眩しさを感じさせてしまうことがある。その場合は、各スラット群５，７，３１をそれぞれ独立駆動する事により、任意のスラット群を収納状態とし、眩しさを感じる事のない良好な昼光利用空間を得ることができる。
【００９８】
［第４実施形態］
次に、本発明の第４実施形態のブラインドについて説明する。
以下に示す本実施形態の採光ブラインドの基本構成は、上記第１実施形態と略同様である。ここでは、特にブラインドの長さ寸法について述べる。以下の説明では、先の実施形態と異なる構成について詳しく説明し、共通な箇所の説明は省略する。また、説明に用いる各図面において、図１〜図１２と共通の構成要素には同一の符号を付すものとする。
なお、本実施形態は、上記各第１〜第３実施形態のいずれのブラインドにも適用が可能である。
【００９９】
図２７は、第４実施形態のブラインドおよび窓における長さの関係を示す断面図である。
本実施形態のブラインド４０は、図２７に示すように、例えば、上記第１、第２実施形態の各ブラインド１，２０において、複数の遮光スラット６を垂直にして展開した時の遮光スラット群７の鉛直方向の長さＨｂが、窓ガラス１００３の鉛直方向の長さＨｗよりも長い寸法とされている。
【０１００】
図２８は、遮光スラット群の鉛直方向における長さが窓ガラスの鉛直方向における長さよりも短い寸法とされたブラインドの使用状態を示す図である。図２９は、第４実施形態におけるブラインドの使用状態を示す図である。
【０１０１】
図２８に示すように、遮光スラット群７の鉛直方向の長さＨｂが、窓ガラス１００３の鉛直方向の長さＨｗよりも短い構成の場合（Ｈｂ≦Ｈｗ）、窓から入射する光を完全に遮光することができない。
【０１０２】
一方、本実施形態のブラインド４０であれば、図２９に示すように、遮光スラット群７の鉛直方向の長さＨｂが窓ガラス１００３の鉛直方向の長さＨｗよりも長い構成とされているため（Ｈｂ＞Ｈｗ）、通常の遮光専用のブラインドと同様に窓から入射する光を完全に遮光することができ、室内を暗室にすることが可能である。
【０１０３】
なお、第１及び第２実施形態のブラインド１，２０を例に挙げて述べたが、上述の通り、第３実施形態のブラインド３０の遮光スラット群７にも適用することが可能である。
【０１０４】
［採光装置］
次に、本発明の一態様における採光装置について説明する。
図３０は、本発明の一態様における採光装置を模式的に示す図である。
本実施形態の採光装置５０は、先に述べた第１〜第４実施形態におけるいずれか一つのブラインド５１と、一対の板ガラス５２Ａ，５２Ｂとを備えている。
ブラインド５１は、光透過性を有する第１板ガラス（第１基板）５２Ａと、第１板ガラスに対向配置された光透過性を有する第２板ガラス（第２基板）５２Ｂとの間に配置されている。これら一対の板ガラス５２Ａ，５２Ｂは、ブラインド５１に接触することのないよう、それぞれブラインド５１から離間して配置されている。
【０１０５】
図３１は、本発明の一態様に係る採光装置の使用状態を示す図である。
図３１に示すように、一対の板ガラス５２Ａ，５２Ｂの間にブラインド５１を配置した複層ガラス構造とすることにより、ブラインド５１の変形や変質を引き起こす外部要因から守ることができる。これにより、例えば各採光スラット４に設けられた上述した採光シート（採光面）や、光拡散面等が劣化せずに、各構成要素の光学機能を長期的に維持することが可能である。
【０１０６】
また、図３２Ａ及び図３２Ｂに示すように窓ガラス１００３の室内側にブラインド５１を配置させた場合と、図３３Ａ及び図３３Ｂに示すように複層ガラスの内側にブラインド５１を配置させた場合とでは、ブラインド５１の設置の有無に起因する見た目の違いが少なくなる。
【０１０７】
なお、採光装置の構成は上述した構成に限らない。例えば、ブラインド５１及び一対の板ガラス５２Ａ，５２Ｂからなる複層ガラス構造体が不図示のフレームに保持されていてもよい。
【０１０８】
［採光システム］
図３４は、採光装置および照明調光システムを備えた部屋モデル２０００であって、図３５のＢ−Ｂ’線に沿う断面図である。図３５は、部屋モデル２０００の天井を示す平面図である。
【０１０９】
部屋モデル２０００において、外光が導入される部屋２００３の天井２００３ａを構成する天井材は、高い光反射性を有していてもよい。図３４および図３５に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進することを目的とするもので、窓際の天井２００３ａに設置されている。具体的には、天井２００３ａの所定の領域Ｅ（窓２００２から約３ｍの領域）に設置されている。
【０１１０】
この光反射性天井材２００３Ａは、先に述べたように、採光装置２０１０（上述したいずれかの実施形態のブラインドあるいは採光装置）が設置された窓２００２を介して室内に導入された外光を室内の奥の方まで効率よく導く働きをする。採光装置２０１０から室内の天井２００３ａへ向けて導入された外光は、光反射性天井材２００３Ａで反射され、向きを変えて室内の奥に置かれた机２００５の机上面２００５ａを照らすことになり、当該机上面２００５ａを明るくする効果を発揮する。
【０１１１】
光反射性天井材２００３Ａは、拡散反射性であってもよいし、鏡面反射性であってもよいが、室内の奥に置かれた机２００５の机上面２００５ａを明るくする効果と、室内に居る人とって不快なグレア光線を抑える効果を両立するために、両者の特性が適度にミックスされたものが好ましい。
【０１１２】
このように、採光装置２０１０によって室内に導入された光の多くは、窓２００２の付近の天井に向かうが、窓２００２の近傍は光量が十分である場合が多い。そのため、上記のような光反射性天井材２００３Ａを併用することによって、窓付近の天井（領域Ｅ）に入射した光を、窓際に比べて光量の少ない室内の奥の方へ振り分けることができる。
【０１１３】
光反射性天井材２００３Ａは、例えば、アルミニウムのような金属板に数十ミクロン程度の凹凸によるエンボス加工を施したり、同様の凹凸を形成した樹脂基板の表面にアルミのような金属薄膜を蒸着したりして作製することができる。あるいは、エンボス加工によって形成される凹凸がもっと大きな周期の曲面で形成されていてもよい。
【０１１４】
さらに、光反射性天井材２００３Ａに形成するエンボス形状を適宜変えることによって、光の配光特性や室内における光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。部屋２００３の窓２００２の大きさや向きが限られているような場合は、このような性質を利用して、光反射性天井材２００３Ａによって光を水平方向へ拡散させるとともに、室内の奥の方向へ向けて反射させることができる。
【０１１５】
採光装置２０１０は、部屋２００３の照明調光システムの一部として用いられる。照明調光システムは、例えば、採光装置２０１０と、複数の室内照明装置２００７と、天井２００３ａに設置された光反射性天井材２００３Ａと、を含む部屋全体の構成部材から構成される。
【０１１６】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成している。
【０１１７】
図３４および図３５に示すように、例えば、窓２００２の左右方向（Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）および奥行方向（Ｘ方向）に、それぞれ１．８ｍの間隔Ｐをおいて格子状に配置されている。
より具体的には、５０個の室内照明装置２００７が１１行（Ｙ方向）×５列（Ｘ方向）に配列されている。
【０１１８】
室内照明装置２００７は、室内照明器具２００７ａと、明るさ検出部２００７ｂと、制御部２００７ｃと、を備え、室内照明器具２００７ａに明るさ検出部２００７ｂおよび制御部２００７ｃが一体化されて構成されたものである。
【０１１９】
室内照明装置２００７は、室内照明器具２００７ａおよび明るさ検出部２００７ｂをそれぞれ複数ずつ備えていてもよい。但し、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００７ｂによって、室内に置かれた机２００５の机上面２００５ａの照度を検出する。
【０１２０】
各室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０１２１】
本実施形態の採光システムによれば、太陽光と共に変動する採光装置２０１０からの採光と、室内照明装置２００７とを連動させることで、時間や部屋２００３の位置に依らずに一定の照度を得ることができ、快適な環境と効率の良い省エネを両立できる。
また、採光装置２０１０だけで窓を全面遮光することができるため、別途ブラインドやカーテンを設置する必要がなくなり、必要に応じて暗い環境を得ることができる。
【０１２２】
図３６は、春分の日における東京都の日射量を示すグラフである。図３６において、縦軸は日射量［ＭＪ／ｍ２］、横軸は時刻を示している。なお、図３６は、新エネルギー・産業技術総合開発機構（ＮＥＤＯ）の「日射量データベース」に格納されたデータの一例である。
図３６に示すように、例えば、春分の日における東京都の日射量は、時間の経過とともに大きく変動しており、１０時、１３時、１６時ごろにそれぞれ分布ピークが存在する。
各分布ピークでは前後の時間で略対称に日射量が変化している。
日射量は日の出とともに上昇し、午前１０時のときの日射量は１５０［ＭＪ／ｍ２］である。その後、日射量は徐々に下がり始め、午後１２時に日射量が５５［ＭＪ／ｍ２］にまで低下した後再び急上昇し、午後１３時のときに一日で最も高い２００［ＭＪ／ｍ２］近くの日射量となっている。そして再び日射量は低下していき、１６時のときに僅かに上昇している。
【０１２３】
そこで、本発明の一態様による採光装置２０１０は、一日の日射量、つまり一日の太陽高度とともに変動する採光装置２０１０からの採光と、室内照明装置２００７による照明とを連動させることで、時間や部屋、窓の位置に依らずに一定の照度を得ることができる。その結果、快適な室内環境と効率の良い省エネを両立できる。
【０１２４】
以上述べたように、採光装置２０１０と照明調光システム（室内照明装置２００７）とを併用することにより、季節や時間、天候などにより採光装置２０１０に入射する光量が変動した場合でも、太陽光を採光しつつ明るさ検出部２００７ｂからの情報をもとにして調光を行い、足りない照度を室内照明器具２００７ａで補うことによって、快適な室内環境を得ることができる。その結果、部屋全体に亘って執務をする上で十分とされる机上面照度を確保することができる。したがって、季節や天気による影響を受けずにより一層安定した明るい光環境が得られる。
【０１２５】
以上、添付図面を参照しながら本発明に係る好適な実施形態について説明したが、本発明は係る例に限定されないことは言うまでもない。当業者であれば、特許請求の範囲に記載された技術的思想の範疇内において、各種の変更例または修正例に想到し得ることは明らかであり、それらについても当然に本発明の技術的範囲に属するものと了解される。
【産業上の利用可能性】
【０１２６】
本発明のいくつかの態様は、採光機能と遮光機能とをそれぞれ独立して機能させることが必要な採光ブラインド、採光装置、照明システムなどに適用できる。
【符号の説明】
【０１２７】
１，２０，３０，４０，５１…ブラインド（採光装置）、２…スラット、３…支持機構、４…採光スラット、５…採光スラット群、６…遮光スラット、７…遮光スラット群、９，９Ａ…滑車、１３…固定ボックス（収納ボックス）、１９，２４…昇降コード（昇降部材）、２６…機構、２６Ａ…第１回転軸（回転軸）、２６Ｂ…第２回転軸（回転軸）、３１…拡散スラット群、３５…拡散スラット、５０，２０１０…採光装置、１００６…室内、２００２…窓、２００７ｂ…検出部、２００７ｃ…制御部、Ｈｂ，Ｈｗ，Ｌ，Ｌ１，Ｌ２…長さ、ＬＢ…光
【図１】
2017131012.tif 000003
【図２】
2017131012.tif 000004
【図３Ａ】
2017131012.tif 000005
【図３Ｂ】
2017131012.tif 000006
【図４Ａ】
2017131012.tif 000007
【図４Ｂ】
2017131012.tif 000008
【図５】
2017131012.tif 000009
【図６Ａ】
2017131012.tif 000010
【図６Ｂ】
2017131012.tif 000011
【図７】
2017131012.tif 000012
【図８】
2017131012.tif 000013
【図９】
2017131012.tif 000014
【図１０Ａ】
2017131012.tif 000015
【図１０Ｂ】
2017131012.tif 000016
【図１０Ｃ】
2017131012.tif 000017
【図１１】
2017131012.tif 000018
【図１２】
2017131012.tif 000019
【図１３】
2017131012.tif 000020
【図１４】
2017131012.tif 000021
【図１５】
2017131012.tif 000022
【図１６】
2017131012.tif 000023
【図１７Ａ】
2017131012.tif 000024
【図１７Ｂ】
2017131012.tif 000025
【図１８】
2017131012.tif 000026
【図１９】
2017131012.tif 000027
【図２０】
2017131012.tif 000028
【図２１】
2017131012.tif 000029
【図２２】
2017131012.tif 000030
【図２３】
2017131012.tif 000031
【図２４】
2017131012.tif 000032
【図２５Ａ】
2017131012.tif 000033
【図２５Ｂ】
2017131012.tif 000034
【図２５Ｃ】
2017131012.tif 000035
【図２６】
2017131012.tif 000036
【図２７】
2017131012.tif 000037
【図２８】
2017131012.tif 000038
【図２９】
2017131012.tif 000039
【図３０】
2017131012.tif 000040
【図３１】
2017131012.tif 000041
【図３２Ａ】
2017131012.tif 000042
【図３２Ｂ】
2017131012.tif 000043
【図３３Ａ】
2017131012.tif 000044
【図３３Ｂ】
2017131012.tif 000045
【図３４】
2017131012.tif 000046
【図３５】
2017131012.tif 000047
【図３６】
2017131012.tif 000048
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
複数のスラットと、複数のスラットの長手方向を水平方向に向けて前記複数のスラットを連結するとともに前記複数のスラットを鉛直方向に吊り下げる形態で支持する支持機構と、を備え、
鉛直方向上位の複数の採光スラットからなる採光スラット群と、鉛直方向下位の複数の遮光スラットからなる遮光スラット群との境界において、前記採光スラットと前記遮光スラットとが連続して配置され、
前記支持機構は、前記採光スラット群を個別に収納あるいは展開させる昇降部材を有している、採光ブラインド。
【請求項２】
前記支持機構は、前記採光スラット群を収納した後に前記遮光スラット群を収納する機構である、請求項１に記載の採光ブラインド。
【請求項３】
前記支持機構は、前記複数のスラットを収納する収納ボックスと、前記複数の採光スラット及び前記複数の遮光スラットに共通して設けられた１系統の前記昇降部材と、前記収納ボックスに連結され且つ前記昇降部材を支持する滑車と、を備える、請求項１または２に記載の採光ブラインド。
【請求項４】
前記支持機構は、前記採光スラット群及び前記遮光スラット群にそれぞれ設けられた２系統の昇降部材を備え、各昇降部材により、前記採光スラット群と前記遮光スラット群とを独立して収納させる、請求項１に記載の採光ブラインド。
【請求項５】
前記２系統の昇降部材をそれぞれ支持する２つの回転軸をさらに備えている、請求項４に記載の採光ブラインド。
【請求項６】
前記遮光スラット群の鉛直方向下方に、複数の拡散スラットからなる拡散スラット群をさらに有している、請求項１に記載の採光ブラインド。
【請求項７】
前記支持機構は、前記採光スラット群、前記遮光スラット群及び前記拡散スラット群にそれぞれ設けられた３系統の昇降部材を備え、各昇降部材により、前記採光スラット群、前記遮光スラット群及び前記拡散スラット群をそれぞれ独立して収納させる、請求項６に記載の採光ブラインド。
【請求項８】
前記３つの昇降部材をそれぞれ支持する３つの回転軸をさらに備えている、請求項６または７に記載の採光ブラインド。
【請求項９】
前記複数の遮光スラットからなる遮光スラット群の鉛直方向長さが、窓の鉛直方向長さよりも長い、請求項１に記載の採光ブラインド。
【請求項１０】
光透過性を有する第１基板と、
前記第１基板に対向配置された光透過性を有する第２基板と、
前記第１基板と前記第２基板との間に配置された採光ブラインドと、を備え、
前記採光ブラインドとして、請求項１に記載の採光ブラインドを採用する、採光装置。
【請求項１１】
採光装置と、
室内照明具と、
室内の明るさを検出する検出部と、
前記室内照明具と前記検出部とを制御する制御部と、を有して構成され、
前記採光装置として、請求項１に記載の採光ブラインドあるいは請求項１０に記載の採光装置を採用する照明システム。
【手続補正２】
【補正対象書類名】明細書
【補正対象項目名】００１３
【補正方法】変更
【補正の内容】
【００１３】
本発明の一形態である採光ブラインドにおいて、前記支持機構は、前記採光スラット群、前記遮光スラット群及び前記拡散スラット群にそれぞれ設けられた３系統の昇降部材を備え、各昇降部材により、前記採光スラット群、前記遮光スラット群及び前記拡散スラット群をそれぞれ独立して収納させる構成としてもよい。
【手続補正３】
【補正対象書類名】明細書
【補正対象項目名】００３０
【補正方法】変更
【補正の内容】
【００３０】
採光スラット４を構成する各採光部４２は、基材４１の長手方向（Ｘ方向）に延在し、且つ、基材４１の短手方向（Ｙ方向）に並んで設けられている。採光部４２は、断面六角形状のプリズム体を構成している。なお、採光部４２の形状は、断面六角形状に限られず、断面五角形状あるいは断面三角形状、マルチテーパー形状であってもよく、特に限定されない。これにより、図４Ｂに示すように、窓ガラスを透過した太陽光が、採光部４２に入射すると、採光部４２内で反射して、斜め上方側に向かって出射する。
【手続補正４】
【補正対象書類名】明細書
【補正対象項目名】００３１
【補正方法】変更
【補正の内容】
【００３１】
ここで、複数の採光部４２の各間には、空気（空隙部４３）が存在しているが、この間に他の低屈折率材料が充填されていてもよい。しかしながら、採光部４２と空隙部４３との界面の屈折率差は、外部にいかなる低屈折率材料が存在する場合よりも空気が存在する場合に最大となる。したがって、空気が存在する場合は、図４Ｂに示すように、スネル（Ｓｎｅｌｌ）の法則より、採光部４２に入射した光のうち反射面４ｂ又は反射面４ｃで全反射する光の臨界角が最も小さくなる。これにより、反射面４ｂ又は反射面４ｃで全反射される光の入射角の範囲が最も広くなることから、採光部４２に入射した光を基材４１の第２面４１ｂ（図４Ａ）側へと効率良く導くことができる。結果として、採光部４２に入射した光の損失が抑えられ、基材４１の第２面４１ｂから出射される光の輝度を高めることができる。
【手続補正５】
【補正対象書類名】明細書
【補正対象項目名】００３８
【補正方法】変更
【補正の内容】
【００３８】
各ラダーコード１２ａ、１２ｂは、図１に示したように、複数のスラット２の中央部を挟んだ左右の両側にそれぞれ一対ずつ並んで配置されている。ラダーコード１２は、図６Ａ，図６Ｂに示すように、互いに平行に並ぶ前後一対の縦コード１５ａ，１５ｂと、縦コード１５ａ，１５ｂの間に掛け渡された複数対の横コード１６ａ，１６ｂと、を有し、且つ、横コード１６ａ，１６ｂが縦コード１５ａ，１５ｂの長手方向（鉛直方向）に等間隔に並んで配置された構成を有している。各スラット２は、縦コード１５ａ，１５ｂと横コード１６ａ，１６ｂとの各間に挿入された状態で配置されている。
【手続補正６】
【補正対象書類名】明細書
【補正対象項目名】００４４
【補正方法】変更
【補正の内容】
【００４４】
各昇降コード１９は、複数の採光スラット４からなる採光スラット群５と、複数の遮光スラット６からなる遮光スラット群７とに共通して設けられ、採光スラット群５と遮光スラット群７とをこの順に収納することを可能にしている。具体的に、昇降コード１９には、図５に示すように、複数の採光スラット４を昇降させる第１部分１９ａと、複数の遮光スラット６を昇降させる第２部分１９ｂと、が存在する。
【手続補正７】
【補正対象書類名】明細書
【補正対象項目名】００７９
【補正方法】変更
【補正の内容】
【００７９】
図１７Ａは、第２実施形態のブラインドの採光スラット群のみを収納した状態を示す図であり、図１７Ｂは、遮光スラット群のみを収納した状態を示す図である。
本実施形態のブラインド２０では、ユーザーにより、採光スラット用昇降コード２４が引っ張られることによって上述した第１回転軸２６Ａが回転し、採光スラット群５が巻き上げられる（図１７Ａ）。この採光スラット群５とは別に、遮光スラット用昇降コード２５が引っ張られることによって上述した第２回転軸２６Ｂが回転し、遮光スラット群７が巻き上げられる（図１７Ｂ）。このように、本実施形態では、巻き上げに用いる回転軸２６Ａ，２６Ｂをスラット群５，７ごとに設けたことにより、スラット群５，７をそれぞれ独立して制御することが可能である。
【手続補正８】
【補正対象書類名】明細書
【補正対象項目名】００８５
【補正方法】変更
【補正の内容】
【００８５】
また、直射光の眩しさが気にならない環境では、図２３に示すように遮光スラット群７を収納し、採光スラット群５を展開した状態で昼光の採り込み量をさらに増やすといった使い方が可能になる。
【手続補正９】
【補正対象書類名】明細書
【補正対象項目名】００９０
【補正方法】変更
【補正の内容】
【００９０】
本実施形態のブラインド３０では、鉛直方向上位に採光スラット群５、中間に遮光スラット群７、下位に拡散スラット群３１が配置されている。拡散スラット群３１は、室内に居る人の目線よりも下側に位置しているとよい。拡散スラット群３１には、各拡散スラット３５の傾きを調整する複数のラダーコード１２ｃと、各拡散スラット３５を収納する拡散スラット用昇降コード３３とが設けられている。
【手続補正１０】
【補正対象書類名】明細書
【補正対象項目名】００９２
【補正方法】変更
【補正の内容】
【００９２】
図２５Ａは、第３実施形態のブラインドの採光スラット群５、遮光スラット群７、拡散スラット群３１を展開した状態を示す図であり、図２５Ｂは、採光スラット群および拡散スラット群を収納した状態を示す図であり、図２５Ｃは遮光スラット群及び拡散スラット群を収納した状態を示す図である。
【手続補正１１】
【補正対象書類名】明細書
【補正対象項目名】００９９
【補正方法】変更
【補正の内容】
【００９９】
図２７は、第４実施形態のブラインドおよび窓における長さの関係を示す断面図である。
本実施形態のブラインド４０は、図２７に示すように、例えば、上記第１、第２実施形態の各ブラインド１，２０において、複数の遮光スラット６を垂直にして展開した時の遮光スラット群７の鉛直方向の長さＨｂが、窓ガラス１００３の鉛直方向の長さＨｗよりも短い寸法とされている。
【手続補正１２】
【補正対象書類名】図面
【補正対象項目名】図３Ｂ
【補正方法】変更
【補正の内容】
【図３Ｂ】
2017131012.tif 000049
【手続補正１３】
【補正対象書類名】図面
【補正対象項目名】図７
【補正方法】変更
【補正の内容】
【図７】
2017131012.tif 000050
【手続補正１４】
【補正対象書類名】図面
【補正対象項目名】図８
【補正方法】変更
【補正の内容】
【図８】
2017131012.tif 000051
【国際調査報告】
2017131012.tif 000052
2017131012.tif 000053
2017131012.tif 000054
2017131012.tif 000055